(57)【要約】    【課題】  機器筐体に実装された回路基板に設置したキーパッドの操作キーを、機器筐体においてダブルインモールドの施されたパネルから露呈させて成る電子機器を対象とし、外観形状の大型化を招くことなく前記パネルの変形を未然に防止することを可能とした電子機器の提供を目的とする。    【解決手段】  本発明における電子機器は、回路基板に設置されたキーパッドのベース部材に支持部材を固定し、該支持部材により機器筐体のパネルを内面から支持するよう構成している。    【選択図】  図２
2008166993.tif 000002
【特許請求の範囲】
【請求項１】
機器筐体に実装された回路基板に設置したキーパッドの操作キーを、前記機器筐体においてダブルインモールド成形されたパネルから露呈させて成る電子機器であって、
前記回路基板に設置されたキーパッドのベース部材に支持部材を固定し、該支持部材により前記機器筐体の前記パネルを内面から支持するよう構成したことを特徴とする電子機器。
【請求項２】
前記回路基板に設けた光源の光を前記キーパッドを透過させて前記パネルおよび前記操作キーを照明する電子機器において、前記キーパッドに固定された前記支持部材を透光性材料によって形成したことを特徴とする請求項１記載の電子機器。
【発明の詳細な説明】
【技術分野】
【０００１】
本発明は、機器筐体に実装された回路基板に設置したキーパッドの操作キーを、機器筐体においてダブルインモールド成形されたパネルから露呈させて成る電子機器に関する。
【背景技術】
【０００２】
昨今、電子機器の一例である携帯電話機等には、外観を構成する外装パネル等をダブルインモールド成形、すなわち透明なパネルの表面と裏面とにフィルムを貼り付けて一体成形することで、表面に奥行き感を持たせて美感の向上を図る構成が提供されている(例
えば、特許文献１参照)。
【０００３】
図６に示した携帯電話機Ａでは、ケーシングＢの上面に、ダブルインモールド成形された外装パネルＰが装着され、この外装パネルＰからは、液晶表示部Ｄが露呈しているとともに、ケーシングＢに実装された回路基板Ｅ上におけるキーパッドＣの操作キーＫ、Ｋ…が露呈している。
【特許文献１】特開２００２−１５６９１２号公報
【発明の開示】
【発明が解決しようとする課題】
【０００４】
ところで、上述した構成の携帯電話機Ａでは、外装パネルＰにおける操作キーＫ、Ｋ…の周辺部位が、操作キーＫの押下に伴う外力で変形することを防止する必要があるものの、ダブルインモールド成形された外装パネルには、その構造故にリブやボス等の支持部を形成することができない。
【０００５】
そこで、図６(ｂ)に示す如く、ケーシングＢに支持ピンＢｐ、Ｂｐ…を形成し、回路基板Ｅ等に貫通させた支持ピンＢｐ、Ｂｐ…によって、上記外装パネルＰを内側から支持するように構成する必要がある。
【０００６】
しかし、支持ピンＢｐ、Ｂｐ…の貫通された回路基板Ｅは、有効な実装面積を確保するために大型化せざるを得ず、これに伴って携帯電話機Ａのおける外観形状の不用意な大型化を招く虞れがあった。
【０００７】
本発明は上記実状に鑑みて、外観形状の大型化を招くことなく、ダブルインモールド成形されたパネルの変形を未然に防止し得る、電子機器の提供を目的とするものである。
【課題を解決するための手段】
【０００８】
請求項１の発明に関わる電子機器は、機器筐体に実装された回路基板に設置したキーパッドの操作キーを、機器筐体においてダブルインモールド成形されたパネルから露呈させて成る電子機器であって、回路基板に設置されたキーパッドのベース部材に支持部材を固定し、該支持部材により機器筐体のパネルを内面から支持するよう構成したことを特徴としている。
【０００９】
また、請求項２の発明に関わる電子機器は、請求項１の発明に関わるスライド開閉式電子機器において、回路基板に設けた光源の光をキーパッドを透過させて前記パネルおよび操作キーを照明する機能を備え、キーパッドに固定された支持部材を透光性材料によって形成したことを特徴としている。
【発明の効果】
【００１０】
請求項１の発明に関わる電子機器によれば、機器筐体のパネルを内面から支持する支持部材を、回路基板に設置されたキーパッドのベース部材に固定したことで、支持ピンを回路基板に貫通させる従来構造に対して、回路基板およびキーパッドの不用意な大型化を生じることがなく、もってダブルインモールド成形されたパネルの変形を、外観形状の大型化を招くことなく未然に防止することが可能となる。
【００１１】
請求項２の発明に関わる電子機器によれば、支持部材を透光性材料から形成したことにより、回路基板に設けた光源の光をキーパッドに透過させてパネルおよび操作キーを照明する電子機器において、上記支持部材が光源からの光を遮ることがないので、上記パネルの照明部分に不用意な影が生じることを未然に防止できる。
【発明を実施するための最良の形態】
【００１２】
以下、実施例を示す図面に基づいて、本発明を詳細に説明する。  
図１〜図５は、電子機器の一態様である携帯電話機に本発明を適用した実施例を示しており、このスライド開閉式の携帯電話機１は、テンキー２Ｋ、２Ｋ…および送話部２Ｍ等を設けた本体筐体２と、各種の操作キー１０Ｋ、１０Ｋ…と共に液晶表示部３Ｄおよび受話部３Ｒ等を設けた蓋体筐体３とを備えている。
【００１３】
上記本体筐体２と蓋体筐体３とは、スライドユニット(図示せず)を介して開閉自在に連結されており、上記蓋体筐体３は本体筐体２に対して、図１(ａ)に示す如く本体筐体２を覆う閉位置と、図１(ｂ)に示す如く本体筐体２のテンキー２Ｋ、２Ｋ…等を露呈させる開位置との間をスライド移動する。
【００１４】
また、携帯電話機１における蓋体筐体(機器筐体)３は、図２に示す如く、互いに組付けられて筐体を構成する外側ケース３Ａおよび内側ケース３Ｂと、外側ケース３Ａに装着される外装パネル３Ｐとを具備しており、この外装パネル３Ｐには、液晶表示部３Ｄを露呈させるための開口３ｄと、各種の操作キー１０Ｋ、１０Ｋ…を露呈させるための開口３ｏ、３ｏ…が形成されている。
【００１５】
ここで、上記外装パネル３Ｐは、ダブルインモールド成形によって製造されたパーツであり、公知の如く、樹脂材料から成る透明なパネルの表面と裏面とに、所望する絵柄や金属光沢を有するフィルム、あるいは透明フィルム等を貼付けて一体成形することで、表面に奥行き感を持たせて美感の向上を図っている。
【００１６】
図２に示す如く、上記蓋体筐体３における外側ケース３Ａの上面には、操作キー１０Ｋ、１０Ｋ…に関わる回路基板４が実装されており、該回路基板４の上面には、各々の操作キー１０Ｋに対応したキードーム４ｃ、４ｃ…が形成され、さらに外装パネル３Ｐおよび操作キー１０Ｋ、１０Ｋ…を照明するＬＥＤ(光源)５、５…が実装されている。
【００１７】
上記回路基板４には、その上面を覆ってキーパッド１０が設置されており、上記キーパッド１０は、シリコン材から成るキーラバー(ベース部材)１０Ｒを有し、該キーラバー１０Ｒの上面には所定位置に操作キー１０Ｋ、１０Ｋ…が取り付けられている。
【００１８】
また、上記キーパッド１０におけるキーラバー１０Ｒの上面には、硬質の樹脂材料から形成された支持プレート(支持部材)１１が固定設置されており、この支持プレート１１は、何れの操作キー１０Ｋに対しても近接する略Ｕ字形の平面形状を呈している。
【００１９】
さらに、上記キーパッド１０におけるキーラバー１０Ｒは、透光性を備えたシリコン材から形成されており、該キーラバー１０Ｒに取り付けられた支持プレート１１も、同じく透光性を備えた透明な樹脂材料から形成されている。
【００２０】
図４および図５に示す如く、蓋体筐体３の外側ケース３Ａに回路基板４とキーパッド１０とが実装され、かつ蓋体筐体３の外側ケース３Ａに外装パネル３Ｐが装着された状態において、操作キー１０Ｋ、１０Ｋ…は外装パネル３Ｐの開口３ｏを介して外部に露呈しており、支持プレート１１は外装パネル３Ｐの内面と当接している。
【００２１】
ここで、携帯電話機１の使用者が操作キー１０Ｋを押下した際、外装パネルＰにおける操作キーＫの周辺部位に外力が作用しても、その外力は支持プレート１１からキーパッド１０および回路基板４を介して外側ケース３Ａで受け止められるため、外力による外装パネル３Ｐの変形が未然に防止されることとなる。
【００２２】
すなわち、上述した構成の携帯電話機１によれば、蓋体筐体３の外装パネル３Ｐを内面から支持する支持部材１１を、回路基板４に設置されたキーパッド１０のキーラバー１０Ｒに固定したことで、支持ピンを回路基板に貫通させる従来構造に対して、回路基板４およびキーパッド１０の不用意な大型化を生じることがなく、もってダブルインモールド成形された外装パネル３Ｐの変形を、外観形状の大型化を招くことなく未然に防止することができる。
【００２３】
また、上記携帯電話機１においては、回路基板４に実装されたＬＥＤ５が発光すると、キーパッド１０を透過したＬＥＤ５からの光により、各操作キー１０Ｋ、１０Ｋ…が照明されるとともに、外装パネル３Ｐにおける操作キー１０Ｋの周辺が照明されることとなる。
【００２４】
ここで、上述した携帯電話機１によれば、支持プレート１１を透光性材料から形成したことにより、回路基板４に設けたＬＥＤ５の光をキーパッド１０に透過させて外装パネル３Ｐおよび操作キー１０Ｋを照明する際、支持プレート１１がＬＥＤ５からの光を遮ることがないので、外装パネル３Ｐ等の照明部分に不用意な影が生じることを未然に防止できる。
【００２５】
また、キーパッド１０に取付けた支持プレート１１を、透明な樹脂材料から形成したことで、ＬＥＤ５の光を操作キー１０Ｋや外装パネル３Ｐへ導光する導光部材としても、上記支持プレート１１が極めて有効に機能することとなる。
【００２６】
なお、上述した実施例における、支持プレート(支持部材)の平面形状、厚さ寸法、レイアウトおよび材質等は、携帯電話機の設計仕様に基づいて適宜に設定し得ることは言うまでもない。
【００２７】
また、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、機器筐体においてダブルインモールドの施されたパネルから操作キーを露呈させて成る様々な電子機器に対しても、本発明を極めて有効に適用し得ることは言うまでもない。
【図面の簡単な説明】
【００２８】
【図１】(ａ)および(ｂ)は、本発明に関わる電子機器の一実施例であるスライド開閉式の携帯電話機の閉状態および開状態を示す外観斜視図。
【図２】図１に示した携帯電話機の要部分解斜視図。
【図３】図１に示した携帯電話機におけるキーパッドおよび支持部材の全体平面図。
【図４】(ａ)は図１の携帯電話機における要部平面図、(ｂ)は(ａ)中の IV−IV 線断面図。
【図５】(ａ)は図１の携帯電話機における要部平面図、(ｂ)は(ａ)中の V−V 線断面図。
【図６】(ａ)は従来の携帯電話機を示す外観平面図、(ｂ)は図６中の VI−VI 線断面図。
【符号の説明】
【００２９】
１…携帯電話機(電子機器)、
２…本体筐体、
３…蓋体筐体(機器筐体)、
３Ａ…外側ケース、
３Ｂ…内側ケース、
３Ｐ…外装パネル(パネル)、
４…回路基板、
５…ＬＥＤ(光源)、
１０…キーパッド、
１０Ｒ…キーラバー(ベース部材)、
１０Ｋ…操作キー、
１１…支持プレート(支持部材)。
【図１】
2008166993.tif 000003
【図２】
2008166993.tif 000004
【図３】
2008166993.tif 000005
【図４】
2008166993.tif 000006
【図５】
2008166993.tif 000007
【図６】
2008166993.tif 000008